(57)【要約】【課題】  大量の落葉等が雨水に混入する状況においても、雨水の側溝への流入を維持させ得る側溝用蓋を提供する。【解決手段】  側溝Ａの開口端部Ａａ，Ａｂに装着可能な基部２と、この基部に設けられた多孔体の蓋部３とを備え、蓋部は、平面構成部３０ａ，３０ｂと、傾斜構成部３０ｃとを備え、傾斜構成部は、平面構成部から十分な高さの頂点３０ｃ１を有する。傾斜構成部は、対向する二つの傾斜部によって山形に構成することができる。平面構成部に対する傾斜構成部の平面視における割合を１／２以上とし、傾斜構造部の頂点は、平面構成部の上面から４５ｍｍ以上の高さとする。【選択図】  図１
2018150779.tif 000002
【特許請求の範囲】
【請求項１】
側溝の開口端部に装着可能な基部と、この基部に設けられた多孔体の蓋部とを備え、前記蓋部は、平面構成部と、傾斜構成部とを備え、前記傾斜構成部は、前記平面構成部から十分な高さの頂点を有することを特徴とする側溝用蓋。
【請求項２】
前記傾斜構成部は、対向する二つの傾斜部によって山形に構成されたものである請求項１に記載の側溝用蓋。
【請求項３】
前記蓋部は、前記平面構成部に対する前記傾斜構成部の平面視における割合が、１／２以上の範囲に形成されている請求項１または２に記載の側溝用蓋。
【請求項４】
前記傾斜構造部の頂点は、前記平面構成部の上面から４５ｍｍ以上の高さを有している請求項１ないし３のいずれかに記載の側溝用蓋。
【請求項５】
前記蓋部は、前記基部と分離可能である請求項１ないし４のいずれかに記載の側溝用蓋。
【請求項６】
前記傾斜構成部は、前記平面構成部から分離可能である請求項１ないし５のいずれかに記載の側溝用蓋。
【請求項７】
側溝の開口端部に装着可能なグレーチングに装着することにより形成される側溝用蓋であって、前記グレーチングに連結可能な連結部と、多孔体で構成され、前記連結部から十分な高さの頂点を有する山形状の傾斜構成部とを備えることを特徴とする側溝用蓋。
【請求項８】
前記多孔体は、線材を格子状にしてなる網体で構成されている請求項１ないし７のいずれかに記載の側溝用蓋。
【請求項９】
前記多孔体は、エキスパンドメタルまたはパンチングメタルで構成されている請求項１ないし７のいずれかに記載の側溝用蓋。
【発明の詳細な説明】
【技術分野】
【０００１】
本発明は、側溝用の蓋に関し、特に落葉による流入阻害を防止するための側溝用蓋に関するものである。
【背景技術】
【０００２】
一般的な側溝用蓋は、コンクリート製であり、集水部にグレーチングが用いられてきたが、近時発生する集中豪雨における雨量の多さによって、側溝に流入しない雨水が氾濫するといった事態を生じさせている。側溝に雨水が予定どおりに流入しない原因としては、落ち葉やプラスチック容器（袋など）が雨水と同時にグレーチングに集中し、これらがグレーチングの溝を閉塞するためであると想定される。そこで、落葉集積具なるもの（特許文献１参照）またはアーチ型のグレーチング（特許文献２参照）が開発されている。
【０００３】
特許文献１に開示される技術は、グレーチングに向かって流下するように設けられている流路（側溝蓋等）の途中に、複数の突起を有する落葉集積具を設けることにより、当該流路に沿って流される落葉を突起によって滞留させ、滞留する一部の落葉を核として他の落葉を堆積させるというものであった。しかしながら、上記の技術では、雨水が流路に沿って緩やかに流下する場合には、想定どおりに落葉を滞留させ、それを核として他の落葉を堆積できることがあるとしても、想定を超える雨水の流下や多量の落葉が流下する場合は、流下速度や水圧等によって落葉堆積具を通過し、または堆積した落葉とともにグレーチングに集中することがあり得た。
【０００４】
他方、特許文献２に開示される技術は、グレーチングの縦桟（流路方向に平行部材）をアーチ状とするものであり、流路に沿って流下する雨水とともに流下する落葉をグレーチングにおいて集積させるものである。しかしながら、このような構成のグレーチングは、前述の落葉集積具と同様に、流路に沿って雨水が流下し、グレーチングに落葉が集中するような場合には、雨水に浮上する落葉をアーチの上部に集積させることができるとしても、想定を超える量の雨水または落葉が集中する場合は、グレーチング全体が落葉によって覆われることとなり、集中豪雨に際しては機能し得ない事態が懸念されていた。
【先行技術文献】
【特許文献】
【０００５】
【特許文献１】特開２００８−１７４９０２号公報
【特許文献２】特開２０１６−１２５２０９号公報
【発明の概要】
【発明が解決しようとする課題】
【０００６】
ところで、前掲の特許文献１および２に開示される技術は、いずれも市街地の車道等に設置されるＬ型側溝を前提とするものであり、落葉や雨水の集中量が比較的少ない場所におけるものであった。しかしながら、山道や法面下部に設けられる側溝は、斜面による傾斜によって雨水が集中し、また、近隣に存在する多数の樹木から舞い落ちる葉の量も極めて多く、雨水とともに側溝に落葉が流入し、その結果として、側溝そのものが機能不全となり、また、グレーチング等の流入蓋の表面は落葉で閉塞される状態となっていた。同様に多量のゴミ等が集積する場合も同様であった。
【０００７】
本発明は、上記諸点にかんがみてなされたものであって、その目的とするところは、大量の落葉等が雨水に混入する状況においても、雨水の側溝への流入を維持させ得る側溝用蓋を提供することである。
【課題を解決するための手段】
【０００８】
そこで、本発明は、側溝の開口端部に装着可能な基部と、この基部に設けられた多孔体の蓋部とを備え、前記蓋部は、平面構成部と、傾斜構成部とを備え、前記傾斜構成部は、前記平面構成部から十分な高さの頂点を有することを特徴とするものである。
【０００９】
上記構成によれば、側溝の開口部に配置される蓋部は、全体として多孔体で構成され、その一部が傾斜構成部により、傾斜していることから、落葉は平面構成部に堆積し、雨水は堆積する落葉の上を乗り越えて傾斜構成部から側溝内部に流入することとなる。側溝には一部の落葉が流入することがあるとしても、その大多数は平面部に堆積するため、側溝が落葉で満たされることを回避できる。また、傾斜構成部は十分な高さで構成されることから、平面構成部に堆積する落葉が多い場合でも傾斜構成部の頂点付近は開口しており（多孔体の孔が存在しており）、当該開口部分から雨水の流入を可能にするものである。なお、傾斜構成部は、平面構成部に対して「傾斜」した状態であり、単なる高低差を設けるものではない。従って、傾斜構成部に対して落葉が堆積するような状態においては、その傾斜によって平面構成部まで滑り落ちるようになっている。なお、傾斜角度は、急激に過ぎず緩やか過ぎない程度が好ましく、平面構成部との間でなす角度としては、３０度〜６０度の範囲内が好ましい。
【００１０】
本発明は、上記構成の傾斜構成部について、対向する二つの傾斜部によって山形に構成されたものとすることができる。
【００１１】
このような構成の場合、傾斜構成部は、対向する二つの傾斜部を有することから、側溝への流入口が、傾斜構成部の頂点近傍の両側に開口させることができる。従って、片方の傾斜部からの雨水および落葉の流入が多く、結果的に片方の傾斜部が落葉によって閉塞されたとしても、他方の傾斜部は開口しており、落葉の堆積物を乗り越えた雨水は反対側の傾斜部から側溝内に流入することができる。これにより、本来的には全体が閉塞されるような多量の落葉が堆積した場合であっても雨水の側溝への流入を可能にすることができる。
【００１２】
また、本発明は、上記構成の蓋部について、前記平面構成部に対する前記傾斜構成部の平面視における割合が、１／２以上の範囲に形成されているものとすることができる。
【００１３】
上記構成の場合には、平面視における傾斜構成部の範囲は、全体の１／３以上となり、平面構成部の全部が落葉によって閉塞したとしても、１／３以上の面積相当分については雨水の流入可能な範囲となり得る。なお、全体の１／３以上の範囲を傾斜構成部とするものであるため、傾斜構成部を前記のような山形とする場合には、一方の傾斜部が全体の１／６以上となるものである。また、全体の１／３以上であるから、傾斜構成部の両側に平面構成部を配置する構成とすることができる。
【００１４】
なお、本発明は、上記各構成における傾斜構造部の頂点について、前記平面構成部の上面から４５ｍｍ以上の高さを有するものとすることが好ましい。
【００１５】
上記構成の場合には、平面構成部に多量の落葉が集積した場合でも傾斜構成部の一部の開口を確保できるものである。なお、４５ｍｍ以上としたのは、それ以上の高さを有して傾斜構成部を設けることができることを意味する。また、一般的な側溝の開口幅が、３００ｍｍ以下であることから、傾斜構成部の傾斜角度を急激な状態としないためである。
【００１６】
なお、上記構成の発明においては、前記蓋部が、前記基部と分離可能としてもよく、さらに、前記傾斜構成部が、前記平面構成部から分離可能としてもよい。
【００１７】
蓋部が基部との間で分離可能とすることにより、側溝用蓋の開閉が可能となり、側溝内の清掃が容易となる。これは、集中豪雨の襲来後におけるメンテナンスにおいて、側溝内に流入して残存する落葉等を排除する際に便宜である。また、傾斜構成部を平面構成部から分離可能とすることにより、傾斜構成部と平面構成部との相対的な位置関係を変更し得ることとなり、設置される側溝の状況に応じ、特に雨水が流入する方向や量などに応じて適宜変更する場合の便宜である。
【００１８】
また、本発明は、側溝の開口端部に装着可能なグレーチングに装着することにより形成される側溝用蓋であって、前記グレーチングに連結可能な連結部と、多孔体で構成され、前記連結部から十分な高さの頂点を有する山形状の傾斜構成部とを備えることを特徴とするものである。
【００１９】
上記構成の発明によれば、これまで使用されているグレーチングを利用しつつ、当該グレーチングを平面構成部とみなして、傾斜構成部を備える側溝用蓋を設けることができる。従って、市街地において使用されるＬ型側溝のグレーチングを側溝用蓋に変更することも容易であり、さらには、平面構成部を含む全体を新規に生産しなくても既存品を転用することも可能となる。
【００２０】
なお、前記構成の各発明における多孔体は、線材を格子状にしてなる網体で構成されたものとしてもよく、エキスパンドメタルまたはパンチングメタルで構成されたものとしてよい。
【発明の効果】
【００２１】
本発明によれば、蓋部は、平面構成部と傾斜構成部とにより、落葉を専ら平面構成部に集積させることにより、集積した落葉のうえを乗り越える雨水を傾斜構成部の頂点近傍より側溝へ流入させることが可能となる。これにより、大量の落葉が雨水に混入する状況においても、雨水の側溝への流入を維持させ得るものとなる。また、傾斜構成部を山形にすることにより、流入方向を二方向とすることができ、雨水の流入し得る範囲を拡大させることができる。さらにグレーチングに対して傾斜構成部を装着する構成の場合は、これまでのグレーチングが有する機能に対し、落葉による目詰まりを低減させ得るという付加的な機能を持たせることができる。
【図面の簡単な説明】
【００２２】
【図１】側溝用蓋に係る発明の第１の実施形態を示す説明図である。
【図２】第１の実施形態における基部と蓋部の状態を示す説明図である。
【図３】第１の実施形態における側溝用溝の使用態様を示す説明図である。
【図４】第１の実施形態の変形例を示す説明図である。
【図５】第２の実施形態における基部と蓋部の状態を示す説明図である。
【図６】図５中のＶＩ−ＶＩ線における断面を示す説明図である。
【図７】第３の実施形態における基部と蓋部の状態を示す説明図である。
【発明を実施するための形態】
【００２３】
以下、本発明の実施の形態を図面に基づいて説明する。図１は、本発明に係る側溝用溝の第１の実施形態を示すものであり、図２は、本実施形態の側溝用蓋の基部と蓋部を分離した状態を示すものである。本実施形態は、図１に示されているように、側溝Ａの上部開口端に設置される側溝用蓋１に関するものである。本実施形態は、いわゆるＵ字側溝に使用されることを前提としおり、連続して埋設される側溝について、その開口部に対し、連続的に配置されるものであって、市街地における道路脇に埋設されるＬ型側溝とは異なるが、Ｌ型側溝の場合には、グレーチング等に代替して使用することも可能な構成である。
【００２４】
この側溝用蓋１は、基部２と蓋部３とで構成され、基部１は、側溝Ａの開口部の幅方向に分かれた二つのＬ字鋼２１，２２が一対となって側溝Ａの開口部両側端縁Ａａ，Ａｂに設置できるようになっている。蓋部３は、横桟３１と縦桟３２とで格子形状が形成され、両者３１，３２のマス目によって貫通孔３３が形成され、全体として多孔体となっている。横桟３１，は、基部２の間に架け渡すように配置され、縦桟３２は、基部２の長手方向に平行に配置されている。このように構成される側溝用蓋１は、側溝Ａの開口部（連続する開口）に沿って、複数設けられるものであり、側溝Ａに雨水を流入させるべき範囲の全体に設けられる。そこで、複数の側溝用蓋１が個別に分離しないように（移動しないように）相互に連結させて設けられるものであり、そのためには、Ｕ字状に形成された連結用フック４などを用いることができる。
【００２５】
図２に示すように、二つのＬ字鋼２１，２２によって構成される基部２は、横桟３１の両端が、固着されることにより、当該横桟３１を介して一体化されており、装着すべき側溝Ａの開口幅に応じた幅によって両Ｌ字鋼２１，２２が設けられるものである。図示のように、Ｌ字鋼２１，２２は、一方の平面部を相互に対向させ、他方の平面部を上向きとしており、ちょうど側溝Ａの開口部端縁Ａａ，Ａｂの内側角部の形状に合致させている（図１参照）。
【００２６】
横桟３１は、二つのＬ字鋼２１，２２を連結する構成であるが、このＬ字鋼２１，２２に懸架されることにより蓋部２に強度を与えるものである。すなわち、横桟３１は、Ｌ字鋼２１，２２を介して、側溝Ａの開口端縁Ａａ，Ａｂの間に懸架されることとなり、蓋部３の強度（上方からの荷重に対する強度）に耐えるものとしている。従って、当該横桟３１の数を多くすることにより、蓋部３の強度は増大することとなる。他方、横桟３１の間隙は、貫通孔３３を形成するため、適度な間隙を有して配置されるものである。また、横桟３１は、後述の平面構成部３０ａ，３０ｂおよび傾斜構成部３０ｃを形成するために、両端近傍は直線的に、中央近傍は山形に折曲されており、この形状に沿って縦桟３２が配置されることにより、両構成部３０ａ，３０ｂ，３０ｃを固定的に形成するものである。
【００２７】
縦桟３２は、長手方向を横桟３１に対して直交方向としており、横桟３１と交差する部分において固着されるものである。縦桟３２が横桟３１に固着されることにより、双方ともに、隣接する他の桟３１，３２との間隔が強固に固定されることとなる。また、縦桟３２は適度な間隙を有して配置され、前記の横桟３１の間隙とともに、マス目状の貫通孔３３を形成しており、この貫通孔３３の形状は上記両桟３１，３２の固着によって保持されるものである。なお、縦桟３２は、横桟３１による中央近傍の山形の頂上付近には設けない構成としている。これは、縦桟３２の間隙を山形の頂上付近に存在させるためであり、後述のように頂上付近からの雨水の流入を可能にするためである。
【００２８】
ところで、蓋部３は、幅方向（横桟３１の軸線方向）に三つの領域に分けられており、両側の領域を平面構成部３０ａ，３０ｂとし、中間の領域を傾斜構成部３０ｃとしている。本実施形態における傾斜構成部３０ｃは、両側の平面構成部３０ａ，３０ｂから対象に傾斜させた山形としている。また、本実施形態の傾斜構成部３０ｃの傾斜角度は４０度としており、平面視における幅を全体の１／３としている。従って、側溝Ａの開口幅を３００ｍｍとする場合、傾斜構成部３０ｃは、片方の幅が５０ｍｍ（山形全体で１００ｍｍ）であり、高さが５０ｍｍである。概ね４５ｍｍ以上の高さを有する場合には、吸水により密着する落葉が１０枚程度集積した状態であっても頂点は落葉よりも上位に位置することとなるため、開口幅が３００ｍｍの側溝に使用する場合には、傾斜角度を４５度として山形に形成することができる。これよりも開口幅の小さい側溝（例えば開口幅が２４０ｍｍ）の場合には、傾斜角を同じく４５度とするときは、傾斜構成部３０ｃの領域幅を９０ｍｍ（全体の３／８とし、片方の傾斜構成部を４５ｍｍ）とすれば、頂点の高さを４５ｍｍとすることができる。また、傾斜構成部３０ｃの領域幅を全体の１／３とする場合には、傾斜角を６０度とすれば、山形の頂上は約６９ｍｍとすることができる。これらは、側溝用溝１を使用する側溝の寸法に応じて適宜調整すればよい。
【００２９】
なお、傾斜構成部３０ｃの領域幅を１／３とする場合、蓋部３の全体における平面視の割合も、全体の１／３であり、両側の平面構成部３０ａ，３０ｂを合わせた領域は全体の２／３となる。そのため、両側の平面構成部３０ａ，３０ｂを合わせた領域の１／２となるものである。これが、１／２よりも小さくなる場合は、傾斜構成部３０ｃの傾斜角度が急激となり、山形を形成する場合の頂角が鋭角となってしまうことから、これを１／２以上（全体の１／３以上）としている。
【００３０】
次に、本実施形態に使用態様について説明する。図３は、本実施形態を側溝Ａに装着した状態を示している。図３（ａ）に示すように、基部２（Ｌ字鋼２１，２２）を側溝Ａの開口端縁Ａａ，Ａｂに当接させる（対向する平面を開口部に挿入する）ことにより、側溝Ａの開口部に対して蓋として装着することができる。そして、この装着した状態において、平面構成部３０ａ，３０ｂは、側溝Ａの開口部と同じ高さに設けられるが、傾斜構成部３０ｃの頂点は側溝Ａの開口部よりも高位に位置することとなる。
【００３１】
通常の雨水の流入時には、図３（ａ）に示されているように、蓋部３を塞ぐような障害物が堆積することがないため、雨水は、平面構成部３０ａ，３０ｂのマス目（貫通孔３３）を通過して側溝Ａの内部に流入する。
【００３２】
これに対し、図３（ｂ）に示すように、大量の落葉ＦＬが雨水に混入する場合には、雨水の流入に伴って、平面構成部３０ａ，３０ｂに徐々に集積され、また、雨水が下層に集積した落葉ＦＬを乗り越えて傾斜構成部３０ｃに接近する場所において流入し、この流入に伴って中層および上層の落葉ＦＬがさらに集積することとなる。このように平面構成部３０ａ，３０ｂに多量の落葉ＦＬが集積し、この集積によって平面構成部３０ａ，３０ｂから雨水が側溝Ａに流入できない状況となった場合には、傾斜構成部３０ｃのマス目（貫通孔３３）によって雨水を流入させるのである。
【００３３】
このとき、落葉ＦＬの集積によって、相当程度の高さまで落葉ＦＬが堆積することとなるが、その上層面を乗り越えた雨水が傾斜構成部３０ｃから流入するのである。そのため、側溝Ａの近傍における水面の高さは、側溝Ａの開口部Ａａ，Ａｂの位置よりも高くなっている状況であるが、このような水面の高さは異常なものではない。すなわち、路面ＲＳは側溝に向かって緩やかに傾斜しており、路面ＲＳの雨水は側溝へ流下し、また、法面ＳＳから流下する雨水も側溝付近に集中することとなることから、降水量が多少多い場合であっても側溝近傍の水面は容易に上昇するからである。
【００３４】
また、図示のように、多量の落葉ＦＬが平面構成部３０ａ，３０ｂに堆積した状態においては、雨水は傾斜構成部３０ｃから流入するのであるが、この流入に伴って、当該傾斜構成部３０ｃの傾斜面部にも落葉ＦＬが堆積（密着）することがあり得る。このような場合においても、傾斜構成部３０ｃの頂点３０ｃ１の近傍（山形の頂上部）は開口しており、この頂点近傍から雨水の流入が可能となるのである。
【００３５】
本実施形態は上記のような構成であるから、落葉ＦＬを専ら平面構成部３０ａ，３０ｂにおいて集積させ、この落葉ＦＬを乗り越える雨水を傾斜構成部３０ｃの頂点３０ｃ１およびその近傍から、流入させることができるのであり、大量の落葉ＦＬが雨水に混入する状況においても、雨水の側溝への流入、すなわち路面ＲＳ等の排水施設を正常に機能させることができるものである。
【００３６】
ここで、上記落葉ＦＲをプラスチック製の袋などのゴミと仮定する場合には、落葉ＦＬの多い季節に限らず、年間を通じて排水施設の正常な機能を確保することができる。ゴミなどによるグレーチングや排水口の目詰まりを解消する目的であれば市街地におけるＬ型側溝にも使用が可能である。
【００３７】
なお、本実施形態では、傾斜構成部３０ｃを両側に傾斜部を有する山形としており、これにより、蓋部に向かって流入する方向が、幅方向の両側の二方向となり、第１に、雨水の流下方向が両側からである場合に対応でき、第２に、傾斜構成部３０ｃを以上に高くすることなく、雨水の流入し得る範囲を拡大させることができる。
【００３８】
以上が、本発明の第１の実施形態であるが、本発明は本実施形態を変形した場合をも包含するものである。そこで、次に第１の実施形態の変形例を示す。図４は、その一例を示すものである。いずれも傾斜構成部３０ｃを変形したものである。
【００３９】
図４（ａ）は、傾斜構成部３０ｃの傾斜角を６０度まで急激にし、頂点３０ｃ１の位置を高くしたものである。このような構成では、落葉の集積が非常に多い場所であっても、頂点３０ｃ１が高位に設けられていることから、雨水の側溝への流入を確保し得ることとなる。
【００４０】
また、図４（ｂ）は、傾斜構成部３０ｃの領域を中央付近から偏らせたものである。側溝が設けられる位置の片側に歩道や車道など（図中右側に歩道等）が存在する場合には、図示のように、歩道や車道から遠い位置に傾斜構成部３０ｃを設けることにより、交通の支障を緩和させることができる。
【００４１】
特に図４（ｃ）に示すように、傾斜構成部３０ｃを大きく側部へ偏らせ、かつ山形とせず、傾斜面を一方側にのみ設ける（他方は鉛直状態とする）ことにより、傾斜構成部３０ｃによる交通障害の問題を緩和させることができる。この場合、傾斜構成部３０ｃの傾斜面部を車道側とし、反対側（鉛直面部）を縁石側に接近させることにより、市街地における側溝に使用する際に好適となり得る。
【００４２】
次に、本発明の第２の実施形態について説明する。図５は、本実施形態を示すものである。本実施形態は、この図５に示しているように、基部２が単体で側溝に装着可能な枠体として構成され、この枠体に対して、蓋部３を着脱可能とするものである。具体的には、横桟３１の一部両端を下向きに折曲し、折曲した横桟３１の両端が基部２のＬ字鋼２１，２２の対向面側に挿入できるようにしている。
【００４３】
その着脱の状態を図６に示す。図６（ａ）に示されるように、基部２に対し直上から蓋部３を装着方向へ向けて下降することにより、図６（ｂ）に示すように、折曲した横桟３１の両端が、ちょうどＬ字鋼２１，２２の対向面に摺接される状態となるのである。この横桟３１の摺接により、基部２の幅方向の移動が規制されるものである。また、両端を折曲していない横桟３１が適宜位置に設けられており、この横桟３１は、Ｌ字鋼２１，２２の上面に載置されるのである。この横桟３１の載置により、上下方向の位置が決定し、全体として側溝用蓋が構成されるのである。
【００４４】
このように、蓋部３が基部２に対して着脱可能であるため、基部２は側溝に装着した状態で、蓋部３のみを取り外すことが可能となる。これにより、側溝内部の清掃を可能にしているのである。特に、連続する側溝に複数の側溝用蓋を設ける場合、連結金具（連結用フック４（図１））などを撤去し、側溝用蓋全体を取り外すことは手間が掛かるものであるが、蓋部３のみを取り外すことができれば、その手間を緩和させることができる。なお、この場合の複数の側溝用蓋の連結は、基部２において連結することでもよく、また、基部２は、枠体であるから相互に移動する可能性が低いため、連結せずに使用してもよいものである。
【００４５】
次に、本発明の第３の実施形態について説明する。図７は、本実施形態を示すものである。本実施形態は、図７に示されているように、傾斜構成部３０ｃを平面構成部３０ａとは別に構成する形態である。この場合の平面構成部３０ａは、図示のような格子状の網材で構成するほか、グレーチングを使用してもよい。そして、傾斜構成部３０ａは、平面構成部３０ａの任意の位置において、結束線によって結束することによって一体化することができる。平面構成部３０ａは、前述のとおり、通常時は雨水の流入のために機能し、多量の落葉が集積する場合には、落葉の集積のための領域として機能させるものであるため、この平面構成部３０ａよりも高い位置に頂点を有する山形等の傾斜構成部３０ｃが一部に設けられることにより、第１の実施形態と同様の効果を得ることができるのである。なお、一体化の方法としては、結束線による結束に限定されるものではなく、クランプなどを使用してもよく、連結領域としての平面部を設けてネジ止めする方法でもよい。
【００４６】
本発明の実施形態は上記のとおりであるが、上記の各実施形態は本発明の一例を示すものであり、本発明がこれらの実施形態に限定される趣旨ではない。従って、上記実施形態を適宜変更することができるものである。
【００４７】
例えば、上記実施形態では、蓋部３として、横桟３１と縦桟３２とで格子状を構成したものを代表例として説明し図示しているが、これ以外の構成によることができる。すなわち、エキスパンドメタルまたはパンチングメタルによって蓋部３を構成することができる。この蓋部３は、雨水を流入できる程度の貫通孔を多数有する構造体（多孔体）であればよく、かつ、その貫通孔は落葉が容易に通過しない程度の大きさで開口されていることが好ましい。従って、格子状であることが要件ではないのである。また、側溝の開口部において蓋として使用されることから適度な強度を要するため、パンチングメタル等を使用する場合には、補強用として、表面または裏面に横桟３１を固着させる構成であってもよい。
【００４８】
なお、基部２と蓋部３とが分離可能（着脱可能）とする場合（図５および図６参照）において、蓋部を横桟３１と縦桟３２とで格子状に構成する場合には、横桟３１（および縦桟３２）をバネ鋼等の弾性力ある材料で構成してもよい。このような構成の場合には、折曲させてなる横桟３１の先端に弾性力を作用さえることによって、基部２との装着状態を安定させることができる。すなわち、折曲された横桟３１の先端部分は基部２の間に装着（Ｌ字鋼２１，２２の対向面に当接）して装着状態となるが、バネ鋼等によって先端の距離を外向きに拡大するように付勢させることにより、装着力（当接力）を向上させることができるのである。
【符号の説明】
【００４９】
１  側溝用蓋
２  基部
３  蓋部
４  連結用フック
２１，２２  Ｌ字鋼
３０ａ，３０ｂ  平面構成部
３０ｃ  傾斜構成部
３０ｃ１  傾斜構成部の頂点
３１  横桟
３２  縦桟
Ａ  側溝
Ａａ，Ａｂ  側溝の開口端部
ＦＬ  落葉
ＲＳ  路面
ＳＳ  法面
【図１】
2018150779.tif 000003
【図２】
2018150779.tif 000004
【図３】
2018150779.tif 000005
【図４】
2018150779.tif 000006
【図５】
2018150779.tif 000007
【図６】
2018150779.tif 000008
【図７】
2018150779.tif 000009